(57)【特許請求の範囲】
【請求項１】
天井面或いは壁面に設置される長手のベース体と、当該ベース体の正面に設けられ、発光素子を光源とした光源部と、当該光源部を囲うケース体とを備えた照明器具において、
前記ベース体は高熱伝導性材で形成されるとともに、前記ベース体には、電力線を引き込む引込孔が形成され、
前記ベース体の正面に、前記ベース体の長手方向に沿って延びる一対の対向壁が設けられ、当該対向壁は高熱伝導性材で形成され、前記光源部は、当該光源部と前記ベース体の正面との間に空間を設けるように前記対向壁に支持され、
前記ベース体の裏面には、前記ベース体の長手方向に沿って延びる、高熱伝導性を有する一対のリブが設けられ、
一対の前記対向壁及び前記リブはそれぞれ前記引込孔の両側に形成されたことを特徴とする照明器具。
【請求項２】
前記光源部は、複数の発光素子を備え、
前記対向壁上に複数の前記発光素子が配置されたことを特徴とする請求項１に記載の照明器具。
【請求項３】
前記ベース体、前記対向壁、及び前記リブが一体に形成されたことを特徴とする請求項１又は２に記載の照明器具。
【請求項４】
前記リブ間の空間の少なくとも一部を囲う取付具を、前記リブの外側に沿ってかぶせたことを特徴とする請求項１乃至３のいずれかに記載の照明器具。
【請求項５】
前記対向壁に、当該対向壁から外側に突出する突出部が設けられていることを特徴とする請求項１乃至４のいずれかに記載の照明器具。
【発明の詳細な説明】
【技術分野】
【０００１】
本発明は、天井や壁面に設置される照明器具に関する。
【背景技術】
【０００２】
従来、集合住宅の外階段の踊り場や共用廊下には、直管形の蛍光灯を光源として内蔵した照明器具が設置されている（例えば、特許文献１参照）。また近年、省電力化や長寿命化を目的として、光源にＬＥＤ等の発光素子を用いた照明器具が提案されている。
【先行技術文献】
【特許文献】
【０００３】
【特許文献１】特開平７−３０２５０９号公報
【発明の概要】
【発明が解決しようとする課題】
【０００４】
しかしながら、ＬＥＤ等の発光素子を光源として用いる場合には、発光素子の発熱を効率よく放熱させる必要があるため、より効果的な放熱構造が望まれている。
本発明は、上述した事情に鑑みてなされたものであり、放熱性を向上させた照明器具を提供することを目的とする。
【課題を解決するための手段】
【０００５】
上記目的を達成するために、本発明は、天井面或いは壁面に設置される長手のベース体と、当該ベース体の正面に設けられ、発光素子を光源とした光源部と、当該光源部を囲うケース体とを備えた照明器具において、前記ベース体は高熱伝導性材で形成されるとともに、前記ベース体には、電力線を引き込む引込孔が形成され、前記ベース体の正面に、前記ベース体の長手方向に沿って延びる一対の対向壁が設けられ、当該対向壁は高熱伝導性材で形成され、前記光源部は、当該光源部と前記ベース体の正面との間に空間を設けるように前記対向壁に支持され、前記ベース体の裏面には、前記ベース体の長手方向に沿って延びる、高熱伝導性を有する一対のリブが設けられ、一対の前記対向壁及び前記リブはそれぞれ前記引込孔の両側に形成されたことを特徴とする。
【０００６】
上記構成において、前記光源部は、複数の発光素子を備え、前記対向壁上に複数の前記発光素子が配置されてもよい。
【０００７】
上記構成において、前記ベース体、前記対向壁、及び前記リブが一体に形成されてもよい。
【０００８】
上記構成において、前記リブ間の空間の少なくとも一部を囲う取付具を、前記リブの外側に沿ってかぶせてもよい。
また、上記構成において、前記対向壁に、当該対向壁から外側に突出する突出部が設けられていてもよい。
【発明の効果】
【０００９】
本発明によれば、光源部を、高熱伝導性材で形成した対向壁に支持したため、発光素子の熱を高熱伝導性材からなる対向壁に伝導して、対向壁を介して効率よく放熱できる。また、光源部は、ベース体の正面との間に空間を設けるように対向壁に支持したため、発光素子の熱をＬＥＤ光源とベース体の正面との間の空間に放熱でき、十分な冷却性能を得ることができる。
【図面の簡単な説明】
【００１０】
【図１】本発明の実施の形態に係る照明器具を示す外観斜視図である。
【図２】照明器具を示す分解斜視図である。
【図３】器具本体を取付具から外した図である。
【図４】照明器具の内部を示す図である。
【図５】図４の電源装置周辺を拡大して示す図である。
【図６】照明器具を示す長手方向の断面図である。
【図７】照明器具を示す短手方向の断面図である。
【図８】防水パッド及び防水パッキンを示す図である。
【図９】本発明の変形例に係る照明器具を示す図であり、器具本体を取付具から外した図である。
【発明を実施するための形態】
【００１１】
以下、図面を参照して本発明の実施の形態について説明する。
図１は、本実施の形態に係る照明器具を示す外観斜視図である。図２は、照明器具を示す分解斜視図である。
これらの図に示すように、照明器具１は、天井面や壁面などに直付け設置される器具本体３に、ＬＥＤ光源（光源部）５を収容した、いわゆる直付形照明器具として構成されている。
器具本体３は、正面視矩形状に形成されており、その底面寸法（長さ及び幅）は、蛍光管を光源に使用した従来の照明器具と略同一になされている。このため、集合住宅などで既設の照明器具を、本実施形態の照明器具１に置き換えた場合に、既設の照明器具により天井面や壁面に生じている変色（日焼けなどの跡）を覆い隠すことができる。
【００１２】
器具本体３は、上記底面を構成するベース体７に、半円筒形のケース体９をねじ１１により水密に固定して構成した防水構造を有する灯体である。ケース体９の上面には、ねじ１１を避ける凹部１２が形成されるとともに、長手方向の略中央部に、側面視略台形形状に切り欠いて形成した照射開口１３が設けられている。照射開口１３には、例えばアクリルなどの樹脂材をインジェクション成型してなるカバー部材１５が内側からねじ止め固定されて、当該カバー部材１５によって照射開口１３が覆われている。
本実施形態では上記ケース体９をアルミダイカストから形成し、当該ケース体９の照射開口１３にカバー部材１５を別途に取付ける構成としている。この構成の他にも、ケース体９及びカバー部材１５をアクリルなどの樹脂材から一体成形し、ケース体９に相当する箇所の表面を遮光性の塗料で着色し、カバー部材１５に相当する非着色の箇所から光を照射する構成としてもよい。
【００１３】
図３は、器具本体３を取付具から外した図である。
ベース体７は、例えばアルミニウムなどの高熱伝導材を用いてダイカスト成形されており、このベース体７の略中央部には、商用電源などの電源ケーブル（電力線）を引き込む引込孔１７（図４参照）が形成されている。引込孔１７には、電源ケーブルを防水状態で挿通する防水シール１９が取付けられている。
ベース体７の裏面７Ａには、引込孔１７の両側に、ベース体７の長手方向に亘って板状に延びる一対のリブ２１が設けられている。一対のリブ２１の間には、引込孔１７の両側に、さらに一対のリブ２３が形成されている。リブ２３は、リブ２１と平行であって、リブ２１よりも低くかつ短く形成されている。リブ２１，２３の両端部は上面が傾斜面２１Ａ，２３Ａとなっており、リブ２１の両端は平坦な端面２１Ｂとなっている。これらのリブ２１，２３は、ベース体７と一体形成されている。
【００１４】
器具本体３は、取付具２５を介して天井面や壁面に設置される。取付具２５は、例えば金属板を折り曲げて形成され、平板部（取付面）２７と、平板部２７の長辺から略鉛直に起立する一対の長板部２９と、平板部２７の短辺から略鉛直に起立する一対の短板部３１とを備えている。長板部２９と短板部３１との間には隙間δが形成されている。取付具２５は、一対の長板部２９が一対の長板部２９がリブ２１の外側に当接し、一対の短板部３１がリブ２１の端面２１Ｂに当接するように形成されている。短板部３１には、天井面や壁面から所定の空間を空けて器具本体３を支持可能な位置に取付孔３３が形成されている。平板部２７には、電源ケーブルを通す電源ケーブル孔３５が形成され、この電源ケーブル孔３５の両側には、器具本体３を天井面や壁面に鋲などで留め付けるための留付孔３７，３９がそれぞれ設けられている。これら電源ケーブル孔３５、留付孔３７，３９のピッチを既設の照明器具と同一とすることで既設の照明器具の置き換え設置が容易となる。
【００１５】
器具本体３を天井面や壁面に設置する際には、取付具２５を、同じく電源ケーブル孔３５Ａ、留付孔３７Ａ，３９Ａが形成された例えばゴム製の防水パッド４１を介在させて天井面などに取り付け、この取付具２５に器具本体３をねじ４３により固定して設置される。このとき、ベース体７の裏面にリブ２１が形成されているため、器具本体３の位置決めが容易になるとともに、器具本体３の裏面７Ａに空間Ｒ（図６参照）が形成され、配線等を収めるスペースを確保できる。この空間Ｒは取付具２５に囲われるため、空間Ｒにゴミや水等が入ることを抑制できるとともに、配線等が外側から見え難くなり美観を向上させることができる。しかも、取付具２５の長板部２９と短板部３１との間には隙間δが形成されているため、水等が取付具２５の内側に侵入した場合であっても、この隙間δから水が外側に排出されやすい。また、例えば、器具本体３の横にセンサ等を配置する場合であっても、長板部２９と短板部３１との間の隙間δからセンサ等の配線を取付具２５の内側に引き込むことができる。
【００１６】
器具本体３を天井面や壁面に直接設置する場合には、ケース体９を外してベース体７を天井面や壁面に固定する必要があるが、本実施の形態では、器具本体３を取付具２５によって天井面や壁面に設置したため、ケース体９を外すことなく器具本体３を設置できるので、器具本体３を防水構造としても容易に設置できる。
なお、防水パッド４１の色を黒色などの暗い色とすることで、設置状態における照明器具１の見た目の厚みを軽減することができる。また、図１に示すように、取付具２５の幅Ｗ１を器具本体３の幅Ｗ２よりも狭くすることで、設置状態における照明器具１の見た目の厚みを軽減することができる。
【００１７】
図４は照明器具１の内部を示す図であり、図５は図４の電源装置周辺を拡大して示す図である。図６は照明器具１を示す長手方向の断面図、図７は照明器具１を示す短手方向の断面図である。
照明器具１の内部には、上記ＬＥＤ光源５と、電源装置４５とがベース体７の正面７Ｂに固定して収められている。ＬＥＤ光源５は上記照射開口１３の直下に相当する略中央に配置され、ＬＥＤ光源５の一方側に電源装置４５が配置されている。電源装置４５には、引込孔１７から引き込まれた電源ケーブルが速結接続される。電源装置４５は、図示は省略するが、ＬＥＤ光源５の点灯を制御するドライバ回路等を有している。ベース体７には、電源装置４５の一の対角線上の２つの隅部がねじ止めされるねじ止め台４７と、電源装置４５の他の対角線上の２つの隅部が位置決めされる位置決め台４９とが形成されている。ねじ止め台４７を一の対角線上の２つの隅部にのみ設けたため、四隅をねじ止めする場合に比べ、ねじ本数を少なくできるとともに、組み立てを容易にすることができる。これらのねじ止め台４７及び位置決め台４９により、電源装置４５をベース体７の正面７Ｂから浮いた状態で取付けられる。
【００１８】
ＬＥＤ光源５は、図３に示すように、取付プレート５１上に複数のＬＥＤ（発光素子）５３を二列に配列してなる２つの線状光源５５を有している。取付プレート５１は、ベース体７の正面７Ｂから浮かせた状態でＬＥＤ５３を取付けるための矩形の板材であり、例えばアルミニウムなどの高熱伝導材を用いて形成されている。取付プレート５１は、ベース体７に一体形成した放熱体５７にねじ５８により固定される。なお、照明器具１に用いるねじ１１，４３，５８及びその他説明を省略したねじは１種類（例えば、Ｍ４×８）となっており、これにより、部品管理及び組み立て性が向上する。
【００１９】
放熱体５７はベース体７の長手方向に沿って対向して延びる一対の対向壁５９を備えており、取付プレート５１はこれら一対の対向壁５９上に載置されて固定される。これにより、ＬＥＤ５３の熱が対向壁５９を介してベース体７に伝熱され、放熱体５７及びベース体７から放熱される。しかも、対向壁５９はベース体７から起立するフィン形状となっているため、放熱体５７の表面積が広くなり、対向壁５９に伝導した熱は放熱体５７から効果的に放熱される。これに加え、取付プレート５１とベース体７の正面７Ｂとの間に空間Ｓが形成されるため、ＬＥＤ５３の熱が取付プレート５１の裏面からも効率よく放熱される。
【００２０】
一対の対向壁５９は、一対の対向壁５９間の距離Ｌ１が引込孔１７から引き込まれた電源ケーブル等の配線を通すことが可能な間隔となるように形成される。すなわち、電源ケーブル等の配線は、まず、取付具２５の電源ケーブル孔３５からリブ２１間の空間Ｒに引き込まれ、さらにベース体７の引込孔１７から対向壁５９間の空間Ｓに引き込まれて電源装置４５に接続されることとなる。したがって、電源ケーブル等の配線をＬＥＤ光源５の裏面側に配置できるので、配線による影が生じにくくなる。また、電源ケーブル等の配線は一対の対向壁５９にガイドされることとなり、電源ケーブル等の配線を容易に配線することができる。
また、一対の対向壁５９間の距離Ｌ１と２つの線状光源５５間の距離Ｌ１とは略同等に設定されており、取付プレート５１が放熱体５７に固定されると、ＬＥＤ５３が対向壁５９上に配置されるようになっている。これにより、ＬＥＤ５３の熱が対向壁５９に直接伝導されるので、ＬＥＤ５３の熱が効果的に放熱される。また、ベース体７の裏面７Ａにはリブ２１，２３が設けられているため、これらのリブ２１，２３によってベース体７の表面積が広くなり、ベース体７に伝導された熱がより効果的に放熱される。さらに、リブ２３は、対向壁５９に対応する位置に設けられているため、対向壁５９に伝導したＬＥＤ５３の熱がリブ２３に伝導するので、ＬＥＤ５３の熱がより効率良く放熱される。
【００２１】
各対向壁５９には、図６に示すように、外側に板状に突出する複数の突出部６１が一体形成されている。突出部６１は傾斜面６３を有しており、ケース体９の長手方向の長縁部６５が内側に反って形成された場合であっても、ベース体７にケース体９を取付ける際に、ケース体９の長縁部６５が傾斜面６３に沿って外側に広がるとともに、ベース体７に形成された縁部６７に案内されて位置決めされることとなる。しかも、これら複数の突出部６１はフィン形状となっているため、対向壁５９に加えて突出部６１によっても放熱体５７の表面積が大きくなり、放熱体５７に伝導した熱を効果的に放熱させることができる。
【００２２】
ベース体７の縁部６７には、ベース体７とケース体９との間の防水を図る防水パッキン６９が配置されている。この縁部６７には、ベース体７から正面７Ｂ側に起立して防水パッキン６９を外側から覆う起立部６８がベース体７に一体に形成されている。起立部６８の外周面は下方に向けて広がるテーパー面となっており、この構造により、水等が防水パッキン６９に付着し難くなる。また、縁部６７には、防水パッキン６９を位置決めする複数のガイドリブ７１がベース体７に一体に形成されており、これらのガイドリブ７１により、防水パッキン６９をベース体７に乗せやすくなるとともに、防水パッキン６９を粘着テープ等の固定手段を用いずとも位置決めできるので、組み立て性を向上できる。
防水パッキン６９は、略矩形の枠状に形成され、ねじ１１を内側に避けるねじ回避部７３を有している。ねじ防水パッド４１は、図８に示すように、防水パッキン６９の内側より小さく形成されており、これにより、１シートから防水パッド４１及び防水パッキン６９を形成することができ、低コスト化が可能となる。
【００２３】
以上説明したように、本実施の形態によれば、ベース体７の正面７Ｂに、所定の間隔（Ｌ１）を空けて対向する一対の対向壁５９を設け、当該対向壁５９を高熱伝導性材で形成し、ＬＥＤ光源５を、当該ＬＥＤ光源５とベース体７の正面７Ｂとの間に空間Ｓを設けるように対向壁５９に支持する構成とした。この構成により、ＬＥＤ５３の熱を高熱伝導性材からなる対向壁５９に伝導して、対向壁５９を介して効率よく放熱できるとともに、ＬＥＤ５３の熱をＬＥＤ光源５とベース体７の正面７Ｂとの間の空間Ｓに放熱できるので、十分な冷却性能を得ることができる。
【００２４】
また、本実施の形態によれば、ＬＥＤ光源５は、複数のＬＥＤ５３を備え、対向壁５９上に複数のＬＥＤ５３を配置したため、ＬＥＤ５３の熱が対向壁５９に伝導しやすくなり、放熱性能を向上させることができる。
【００２５】
また、本実施の形態によれば、ベース体７を高熱伝導性材で形成し、ベース体７の裏面７Ａには、ベース体７の長手方向に沿って延びる、高熱伝導性を有するリブ２１，２３を設ける構成とした。この構成により、対向壁５９に伝導した熱をベース体７及びリブ２１，２３を介して効果的に放熱できる。
【００２６】
また、本実施の形態によれば、天井面或いは壁面から所定の空間Ｒを空けてベース体７を支持するとともに、所定の空間Ｒの少なくとも一部を囲う取付具２５を有し、ベース体７には、天井面或いは壁面に面する平板部２７に、電源ケーブルを引き込む引込孔１７を形成し、リブ２１，２３は引込孔１７を略中心に対向して設けられ、取付具２５により囲われる所定の空間Ｒと一対の対向壁５９間の空間Ｒとが引込孔１７を介して連通する構成とした。この構成により、ベース体７の裏面側では、電源ケーブルが取付具２５によって囲われるので、電源ケーブルを容易に配置することができるとともに、電源ケーブルが外側から見え難くなり美観を向上させることができる。また、ベース体７の正面側では、電源ケーブルが対向壁５９によって囲われるので、電源ケーブルを容易に配置することができる。さらに、電源ケーブルをＬＥＤ光源５の裏面側に配置できるので、電源ケーブルによる影が生じにくくなる。
【００２７】
但し、上記実施の形態は本発明の一態様であり、本発明の趣旨を逸脱しない範囲において適宜変更可能であるのは勿論である。
例えば、上記実施の形態では、ＬＥＤ光源５を対向壁５９に載置し、対向壁５９上に複数のＬＥＤ５３を配置したが、これに限定されるものではなく、ＬＥＤ光源５を対向壁５９の高さ方向中間部に支持し、対向壁５９の近傍にＬＥＤ５３を配置してもよい。
【００２８】
また、上記実施の形態では、ベース体７の裏面７Ａに２対のリブ２１，２３を設けていたが、リブは１対だけ設けてもよいし、３対以上設けてもよい。
また、上記実施の形態では、リブ２１は、ベース体７の長手方向に亘って設けられていたが、ベース体７の長手方向の一部のみに設ける構成でもよく、取付具２５との嵌合が適切に行なえる範囲で任意に変形が可能である。例えば、図９に示すように、図３のリブ２１の中央部を切り欠いたような形状のリブ１２１を設けてもよい。なお、図９の照明器具１００では、図３と同一部分には同一符号を付して示し、その説明を省略する。
【００２９】
また、上記実施の形態では、照明装置は防水構造となっていたが、防水構造をとらなくてもよい。この場合、例えば、取付具２５及び防水パッド４１を用いずに器具本体３のベース体７を天井面や壁面などに直接固定してもよい。
また、上記実施の形態では、ＬＥＤ５３を光源に備えた照明器具１を例示したが、本発明はこれに限定されるものではなく、例えば有機ＥＬ等の他の発光素子を光源に備える照明器具にも適用可能である。
【符号の説明】
【００３０】
１，１００  照明器具
５  ＬＥＤ光源（光源部）
７  ベース体
７Ａ  裏面
７Ｂ  正面
９  ケース体
１７  引込孔
２１，２３，１２３  リブ
２７  平板部（取付面）
５３  ＬＥＤ（発光素子）
５９  対向壁
Ｌ１  間隔
Ｓ  空間
【図１】
0005938921.tif 000002
【図２】
0005938921.tif 000003
【図３】
0005938921.tif 000004
【図４】
0005938921.tif 000005
【図５】
0005938921.tif 000006
【図６】
0005938921.tif 000007
【図７】
0005938921.tif 000008
【図８】
0005938921.tif 000009
【図９】
0005938921.tif 000010